(57)【要約】【課題】箱形端子の取付けられた端子装置に接続された外部接続線に大きな外力が加わっても端子板に大きな外力が伝えられることがなく、端子板の異常発熱を抑えることのできる電気機器の端子装置を提供する。【解決手段】電気機器の収められた機器ケース１の側壁に外部接続用の端子板を収納した端子板収納溝２を設け、この端子板収納溝２内に箱形端子１５を挿入して前記端子板に結合固定してなる電気機器の端子装置において、前記箱形端子１５と前記端子板収納溝１２の側壁との間にスペーサ１６を挿入し、このスペーサ１６を介して前記箱形端子１５の全体を前記端子板収納溝２の側壁により支持する。【選択図】図１
2008204863.tif 000002
【特許請求の範囲】
【請求項１】
電気機器の収められた機器ケースの側壁に外部接続用の端子板を収納した端子板収納溝を設け、この端子板収納溝内に箱形端子を挿入して前記端子板に結合固定してなる電気機器の端子装置において、前記箱形端子と前記端子板収納溝の側壁との間にスペーサを挿入し、このスペーサを介して前記箱形端子の全体を前記端子板収納溝の側壁により支持することを特徴とする電気機器の箱形端子装置。
【請求項２】
請求項１記載の電気機器の端子装置において、前記スペーサを箱形に構成し、これを前記箱形端子に外側から被せることを特徴とする電気機器の箱形端子装置。
【発明の詳細な説明】
【技術分野】
【０００１】
この発明は、配線用遮断器や電磁接触器、端子台等の電気機器に設けられる端子装置
に関する。
【背景技術】
【０００２】
上記した端子装置として、電線の端末を直接接続するための箱形金具を備えた箱形端子装置と、端末に圧着端子を有する電線を接続するための圧着端子用端子装置とが知られている。そして、電気機器の端子装置としては、例えば特許文献１に記載されるように、箱形端子装置と圧着端子用端子装置の両方に構成できるようにすることが一般的に行われている。
【０００３】
図４は、回路遮断器の圧着端子用端子装置に箱形端子を組み込んで構成した箱形端子装置の従来の構成を示すものである。
【０００４】
図４において、１は、絶縁樹脂製のベースケース１aと、このベースケース１ａに被せるカバーケース１ｂとで構成された機器ケースである。この機器ケース１の内部には、固定接触子４、可動接触子５、内部リード線６、接続板７、オイルダッシュポット形電磁引外し装置用コイル８、端子板９が電気的に直列接続された主回路と、可動接触子５を開閉操作する開閉機構１０およびこれに開閉スプリング１１を介して連繋された開閉ハンドル３等により構成された開閉装置とが組み込まれている。機器ケース１の両側壁にはそれぞれ外部接続用電源側端子板４ａおよび負荷側端子板９を収納した端子板収納溝２が設けられている。
【０００５】
このように構成された回路遮断器においては、外部の接続線１３を固定接触子４と一体に形成された電源側の端子板４ａと負荷側の端子板９に接続する場合は、この接続線１３の先端に圧着端子を接続し、この圧着端子を端子板４ａおよび端子板９に端子ねじにより締付け結合するように構成されている。接続線１３を、圧着端子を使用しないで直接端子板４ａおよび端子板９に接続する場合は、図示の通り、断面が口字形に構成された箱形端子１５を予め端子板４ａおよび９に取付ねじ１５ａにより取り付けて、箱形端子装置を構成するようにしている。
【０００６】
このような箱形端子装置に接続線１３を接続する際は、その先端の露出された電線部１３aを箱形端子１５内にその開口部から挿入し、箱形端子１５の上面から端子ねじ１５ｆをねじ込んで接続線１３を箱形端子１５に締結するようにしている。
【特許文献１】特開２００５−３２２５５４号公報
【発明の開示】
【発明が解決しようとする課題】
【０００７】
このように、回路遮断器のような電気機器の納められた機器ケースの側壁に外部接続用の端子板の引き出される端子板収納溝が設けられ、このケースの側壁の端子板収納溝内に箱形端子を挿入して前記端子板に結合し、固定するようにした電気機器の端子装置においては、製品の価格を上げないために、箱形端子としては、規格化された既製の端子を用いるのが一般的である。このため、箱形端子を電気機器の機器ケースの端子部に取り付けた場合、図４に示すように、箱形端子の大きさがケースの端子板を収めた端子板収納溝の大きさに合わず、端子板収納溝の側壁との間に隙間が生じるだけでなく、上部からの押さえが効かないことが多い。このように、箱形端子板と電気機器のケースの端子板収納溝の側壁との間に隙間が生じると、箱形端子１５に接続された外部接続線１３に外部から大きな曲げ力が加わったときに、箱形端子の固定が十分でないために、箱形端子の結合された端子板４aや端子板９にこの力が伝わり、機器ケース１の端子板を支える部分が変形されて端子板の他の部材との結合部分に緩みが生じることにより、使用中に端子板が異常発熱し、この熱によって電気機器が焼損する危険がある。
【０００８】
この発明は、このような問題点を解消するために、箱形端子の取付けられた端子装置に接続された外部接続線に大きな外力が加わっても端子板に大きな外力が伝えられることがなく、端子板の異常発熱を抑えることのできる電気機器の端子装置を提供することを課題とするものである。
【課題を解決するための手段】
【０００９】
この発明は、このような課題を解決するため、電気機器の収められた機器ケースの側壁に外部接続用の端子板を収納した端子板収納溝を設け、この端子板収納溝内に箱形端子を挿入して前記端子板に結合固定してなる電気機器の端子装置において、前記箱形端子と前記端子板収納溝の側壁との間にスペーサを挿入し、このスペーサを介して前記箱形端子の全体を前記端子板収納溝の側壁により支持することを特徴とするものである。
【００１０】
また、この発明においては、前記絶縁スペーサを箱形（ボックス状）に構成し、これを前記箱形端子に外側から被せるようにすることができる。
【発明の効果】
【００１１】
この発明によれば、電気機器を収納したケースの側壁に設けられた外部接続用端子板を収納した端子板収納溝内に、挿入された箱形端子とこの端子板収納溝の側壁との間に絶縁スペーサを挿入することにより、箱形端子の全体を絶縁スペーサを介して端子板収納溝の側壁により支持しているので、箱形端子に接続された外部接続線に大きな外力が加わっても、箱形端子の回動が阻止されるため、端子板へ外力が加わることがなくなり、端子板の固定部の緩みが防止される。これにより、使用中の端子板の異常発熱が防止されるので、電気機器の焼損の危険を回避することができる。
【発明を実施するための最良の形態】
【００１２】
この発明の実施の形態を、図に示す実施例について説明する。
【００１３】
図１ないし図３は、回路遮断器の端子装置に適用したこの発明の実施例を示すもので、図１は、回路遮断器の全体の断面を示す立面断面図、図２は回路遮断器の側面の一部を示す側面図、図３は、この実施例に用いる箱形端子およびスペーサを示す斜視図である。これらの図において、従来装置と同一要素は、同一符号で示す。
【００１４】
図１および図２に示すように、回路遮断器は、ベースケース１aとこれに被せるカバーケース２aとで構成された機器ケース１内に、固定接触子４、可動接触子５、内部リード線６、接続板７、オイルダッシュポット形電磁引外し装置用コイル８、端子板９を電気的に直列接続した主回路と、可動接触子５を開閉操作する開閉機構１０およびこれに開閉スプリング１１を介して連繋された開閉ハンドル３等により構成された開閉装置とを組み込んで構成される。
【００１５】
機器ケース１の両側壁に設けられた外部接続用の端子板を収納する端子板収納溝２、２の底面にそれぞれ電源側端子板４ａおよび負荷側端子板９が載置固定されている。
【００１６】
外部接続線１３を圧着端子を使用しないで回路遮断器の端子に接続できるようにするために、従来装置と同様に、端子板収納溝２内にそれぞれ箱形端子１５を挿入し、取付ねじ１５ａによりこの箱形端子１５を端子板４ａおよび９に取り付け固定する。
【００１７】
この発明では、箱形端子１５を端子板収納溝２に挿入するとき、図３（ｂ）に示すような中空のボックス状ブロックの箱形端子１５に、予め、図３（ａ）に示すような樹脂製のボックス状のスペーサ１６を被せて、箱形端子１５とスペーサ１６とを一体にした図３（ｃ）に示すような箱形端子組体を構成し、この組体を溝２内に挿入している。
【００１８】
箱形端子１５は、前面に外部接続線１３を挿通するための開口１５ｂを備え、底面および上面にそれぞれ取付けねじを通す取付穴１５ｃおよび外部接続線締付け用の端子ねじ１５ｆを通すねじ穴１５ｄを備えている。
【００１９】
また、スペーサ１６は、両側板１６ａと１６ｂの間を上面が開放されるようにフランジ体１６ｃで結合して門形に構成され、全体としては底のないボックス状（箱形）をなしている。スペーサ１６は、箱形端子１５に外側から被せたとき両者が密着するようにその内側の寸法が、箱形端子の外側の寸法と同じか小さめに選ばれている。そして、外側寸法は、箱形端子１５と端子板収納溝２の側壁との間の隙間ｇを埋める大きさに選ばれる。スペーサ１６を比較的弾性の大きい樹脂で形成すると、これを箱形端子１５に被せる作業が容易となる。
【００２０】
このように箱形端子にスペーサを被せた箱形端子組体を端子板収納溝２内に挿入するとき、箱形端子１５の底面に設けられた突起１５ｅを、端子板４ａまたは９に設けられた凹所４ａまたは９ａに嵌合して位置合わせを行うようにする（図２参照）。
【００２１】
図２では、箱形端子組体の装着状態の理解を容易にするため、２つの端子板収納溝２の一方（左側）は箱形端子組体が装着された状態を、他方(右側)に箱形端子１５のみが装着された状態を示し、両方の装着状態を比較できるようにしている。
【００２２】
図２の右側の端子板収納溝２には箱形端子１５のみが装着されているので、ここでは、箱形端子１５と端子板収納溝２の側壁との間に隙間ｇが生じ、箱形端子の左右の側面および上面が支持されない状態となる。
【００２３】
これに対して、図２の左側の端子板収納溝２には、箱形端子１５にスペーサ１６を被せた箱形端子組体を装着しているので、ここでは、前記の隙間ｇがスペーサ１６によって埋められ、隙間がなくなっている。これにより、箱形端子１５の両側面がスペーサ１６を介して端子板収納溝２の側壁により支持されるだけでなく、スペーサ１６の上面が溝２の段部２ａによって押さえられることにより、箱形端子の上下面が溝２の側壁によって支持されるようになる。
【００２４】
これにより、図１に示すように、端子板収納溝２に装着された箱形端子１５に外部接続線１３の電線先端部１３ａを挿入して箱形端子１５の上面から端子ねじ１５ｆをねじ込んで接続線１４を箱形端子１５に締結した状態で、この外部接続線１３に上下左右の何れの方向から外力を加えても、箱形端子１５は回動することなく固定された状態となり、端子板への外力の伝達が阻止されるため、端子板４ａまたは端子板９の固定部分に緩みが生じなくなる。
【００２５】
したがって、回路遮断器の端子装置によれば、長期間に亘って端子板の固定部分の緩みの発生を抑えることができ、使用中の端子板部分の異常発熱を防止することできるので、回路遮断器の、端子装置の異常による焼損の危険を回避することができる。
【００２６】
また、スペーサ１６の大きさは、箱形端子１５と端子板収納溝２の大きさに合わせて調整することができるので、各種の既製の規格品の箱形端子を使用することが可能となり、製品の価格を抑えることができる。
【００２７】
この発明は、回路遮断器の端子装置に限らず、その他の電気機器の端子装置に使用することができる。
【図面の簡単な説明】
【００２８】
【図１】この発明の実施例の構成を示す立面断面図である。
【図２】この発明の実施例の側面図である。
【図３】この発明の実施例に用いる部品の斜視図を示すもので、（ａ）はスペーサ、（ｂ）は箱形端子、（ｃ）は箱形端子とスペーサを組み合わせた箱形端子組体を示すものである。
【図４】従来装置の構成を示す立面断面図である。
【符号の説明】
【００２９】
１：機器ケース
２：端子板収納溝
４ａ、９：端子板
１３：外部接続線
１５：箱形端子
１６：スペーサ
【図１】
2008204863.tif 000003
【図２】
2008204863.tif 000004
【図３】
2008204863.tif 000005
【図４】
2008204863.tif 000006